(57)【要約】【課題】ルーズリ―フ綴具は、取付リベットを必要としない一体成形綴具を提供する。【解決手段】基板（１）と、該基板の前縁部に薄肉ヒンジ（２）を介して結合され前記基板の上側に起立する可動綴じリング（３）と、前記基板の後縁部近傍に固定され前記可動綴じリングの先端部を受容する中空部（７）を有する固定綴じ棒（４）と、前記後縁部に他の薄肉ヒンジ（５）を介して結合され前記基板の下面に向けて折り曲げ可能な取付け板（６）と、組立時に前記基板（１）と前記取付け板（６）とが対向する位置に設けられた相互係止手段（１３、１６）とより構成される。【選択図】図１
2014000708.tif 000002
【特許請求の範囲】
【請求項１】
基板（１）と、該基板の前縁部に薄肉ヒンジ（２）を介して結合され前記基板の上側に起立する可動綴じリング（３）と、前記基板の後縁部近傍に固定され前記可動綴じリングの先端部を受容する中空部（７）を有する固定綴じ棒（４）と、前記後縁部に他の薄肉ヒンジ（５）を介して結合され前記基板の下面に向けて折り曲げ可能な取付け板（６）と、組立時に前記基板（１）と前記取付け板（６）とが対向する位置に設けられた相互係止手段（１３、１６）とより構成される、ルーズリ―フ綴具。
【請求項２】
前記係止手段は、前記基板の取付け板（６）の基板（１）側の面から突出し頭部が拡大している係止部材（１３）と、前記基板（１）に設けられた止め穴であって前記係止部材（１３）の頭部を弾発的に無理嵌めして保持する止め穴（１６）とより構成される請求項１に記載のルーズリ―フ綴具。
【請求項３】
前記相互係止手段は、前記基板（１）の裏面から突出し頭部が拡大している係止部材と、前記取付け板に設けられた止め穴であって前記係止部材の頭部を弾発的に無理嵌めして保持する止め穴より構成される、請求項１に記載のルーズリ―フ綴具。
【請求項４】
前記係止部材（１３）の拡大頭部は前記止め穴（１６）に入りやすいようにテーパ面（１５）を有する請求項１〜３の何れか一項に記載のルーズリ―フ綴具。
【請求項５】
前記可動綴じリング（３）の先端部（１０）は先細であり、該先端部はその一部が半径方向の膨出部（１２）を有し、前記固定綴じ棒（４）の中空部（７）の壁には前記膨出部（１２）が嵌合できる窪み（８）が設けられている、請求項１〜４の何れか一項に記載のルーズリーフ綴具。
【請求項６】
前記中空部（７）は前記固定綴じ棒（４）の高さまで伸び、前記可動綴じリング（３）の先端部（１０）は、前記中空部（７）の高さの過半部まで延びている請求項１〜５の何れか一項に記載のルーズリーフ綴具。
【発明の詳細な説明】
【技術分野】
【０００１】
本発明はルーズリーフ綴具に関し、特に単一の綴じリングを有するルーズリーフ綴具に関する。本発明の綴具は単一または２個以上を台紙に取り付けて使用できる。
【背景技術】
【０００２】
従来、この種の綴具は基板に２個以上の半リングを起立させ、それら半リングの先端を、同じ基板または異なった基板に起立した同一数の他の可動又は固定の半リングの先端に係脱させる構造を有し、これ等の半リングをルーズリーフの穴に挿通させることで綴じ込みを行っている。
そして、それら綴具の基板又はそのホルダ部材はファイルの表紙等の取付け部位にリベットにより固定するためのリベット穴を有していた。
【発明の概要】
【発明が解決しようとする課題】
【０００３】
従来の綴具は通常は複数個の部材を組み合わせて製作したものが多く、またファイルへの取付けのためのリベットを要するなど、製造工程や組み立て工程の工数が多い問題がある。
本発明は単一の綴じリングを有し、ファイルの取付け手段を内蔵し、別個の取付け用のリベットを必要としないルーズリーフ綴具を提供することを目的とする。
本発明の綴具はまた単一成形体で構成された綴具を提供する。
【課題を解決するための手段】
【０００４】
すなわち、本発明はつぎの構成を有する綴具を提供する。
（１）基板（１）と、該基板の前縁部に薄肉ヒンジ（２）を介して結合され前記基板の上側に起立する可動綴じリング（３）と、前記基板の後縁部近傍に固定され前記可動綴じリングの先端部を受容する中空部（７）を有する固定綴じ棒（４）と、前記後縁部に他の薄肉ヒンジ（５）を介して結合され前記基板の下面に向けて折り曲げ可能な取付け板（６）と、組立時に前記基板（１）と前記取付け板（６）とが対向する位置に設けられた相互係止手段（１３、１６）とより構成される、ルーズリ―フ綴具。
（２）前記（１）において、前記係止手段は、前記基板の取付け板（６）の基板（１）側の面から突出し頭部が拡大している係止部材（１３）と、前記基板（１）に設けられた止め穴であって前記係止部材（１３）の頭部を弾発的に無理嵌めして保持する止め穴（１６）とより構成される。
（３）前記（１）において、前記相互係止手段は、前記基板（１）の裏面から突出し頭部が拡大している係止部材と、前記取付け板に設けられた止め穴であって前記係止部材の頭部を弾発的に無理嵌めして保持する止め穴より構成される。
（４）前記（１）〜（３）の何れかにおいて、前記係止部材（１３）の拡大頭部は前記止め穴（１６）に入りやすいようにテーパ面（１５）を有する。
（５）前記（１）〜（４）の何れかにおいて、前記可動綴じリング（３）の先端部（１０）は先細であり、該先端部はその一部が半径方向の膨出部（１２）を有し、前記固定綴じ棒（４）の中空部（７）の壁には前記膨出部（１２）が嵌合できる窪み（８）が設けられている。
（６）前記（１）〜（５）の何れかにおいて、前記中空部（７）は前記固定綴じ棒の高さまで伸び、前記可動綴じリング（３）の先端部（１０）は、前記中空部（７）の高さの過半部まで延びている。
【発明の効果】
【０００５】
本発明のルーズリーフ綴具は、例えば背表紙の内側に設けた取付フラップに取り付け穴を設け、その穴に、基板底から突出している取付け部材の頭部を挿通させ、次いでこの頭部を、ヒンジで折り返して取付けフラップの裏面へ曲げつけた取付け板の止め穴に無理に押し通すと、係止部材は止め穴を貫通してその周部に係止され、そこに安定に保持される。
このように本発明では、リベットを用いた作業がなく、綴具を表紙へ容易に固定することができる。
本発明の綴具は単一成形品であり、表紙への取付け手段を内蔵しているので、従来のような面倒な取付け操作は必要がなく、製造コストや表紙への取付けコストが大幅に低下する。
また、１つの実施例では先端部が長い可動綴じリングと固定綴じ棒とでルーズリーフの保持が行われるので、多数枚の紙の重畳体のルーズリーフの差し替えには、重畳体を目的ページのところで二分して可動綴じリングを開くと、二分した各部分がそれぞれ可動綴じリングと固定綴じ棒に支持されるので、リーフがバラバラになることがなく、使い勝手が良い。
また、綴じ込み状態でも、仮に可動綴じリングのロックが何らかのショックで外れて少しばかり開いても可動綴じリング部のルーズリーフは綴具から外れることがない。
【図面の簡単な説明】
【０００６】
【図１】本発明の実施例による綴具の正面図である。
【図２】同平面図である。
【図３】同右側面図である。
【図４】同左側面図である。
【図５】本発明の実施例による綴具の展開正面図である。
【図６】同展開平面図である。
【図７】同展開底面図である。
【図８】同展開右側面図である。
【図９】同展開左側面図である。
【図１０】表紙への取付方法を示す正面図である。
【発明を実施するための形態】
【０００７】
以下図面を参照して本発明の実施例を詳しく説明する。
図は本発明の好ましい実施例によるルーズリーフ綴具の図面であり、図１〜４は組み立て状態を、図５〜９は展開状態を示す。
綴具はポリプロピレン等の合成樹脂から一体成型により形成されるもので、図１〜４に示されるように基板１と、その前縁部に薄肉ヒンジ２を介して結合され基板１の上側に起立するほぼＵ字形の可動綴じリング３と、可動綴じリング３の先端を受けて支持固定するために基板１の後縁部近傍に直立する固定綴じ棒４と、基板の後縁部に他の薄肉ヒンジ５を介して結合され前記基板１の下面に向けて折り曲げ可能な取付け板６とから構成される。
【０００８】
各部の構造は図５〜９の展開図を参照すればよく理解できよう。基板１にから直立する固定綴じ棒４は円筒形の中空部７（例えばその全高さの孔又は貫通孔）を有し、その内壁には窪み８が形成される。この窪み８にはそれに対応した位置に膨出部１２を有する可動綴じリング３の先端部１０が挿入でき、膨出部１２が窪み８に弾発的に嵌合して可動綴じリング３を仮ロックする。可動綴じリング３にはさらに停止段部１１が設けられ、それが閉環時に固定綴じ棒４の頂面９に衝合して可動綴じリング３と固定綴じ棒４とで完全な一つの綴じリングを形成する。この状態ではルーズリーフ（図示せず）が部材３と４により綴じ込み状態に維持される。
ルーズリーフを補充、取りだし、又は差し替えたい場合には、可動綴じリング３を指で窪み８と膨出部１２による保持力を超える力で引けば、可動綴じリング３は図１の状態から開放される。この状態で使用の補充、取り出し、差し替えなどが可能となる。
【０００９】
図６〜７のように、基板１のほぼ中央部分には止め穴１６が貫通している。止め穴１６の一部には図６のように上面側から止め穴１６に向けて傾斜する斜面１７が設けられる。これは必須ではないが綴具を表紙等の支持基板から取り外したい場合に役立つ。一方、止め穴１６に対応した取付け板６の位置（薄肉ヒンジ５で折り曲げた時に整列する位置）には係止部材１３が設けられている。係止部材１３は突起１４を有し、突起１４の上面側は（薄肉ヒンジ５で折り曲げた後の状態で）テーパ面１５となっている。係止部材１３の幅は止め穴１６の幅より少し小さく、突起１４はテーパ面１５に干渉する位置にある。したがって、取付け板６を薄肉ヒンジ５で折り曲げて基板１の下面に重畳させ、手で押圧すると、テーパ面１５が止め穴１６の対応した縁部を滑って無理嵌めされ、基板１に固定される。
【００１０】
なお、係止部材１３と止め穴１６の関係は相対的であるのでそれらの位置を交換しても良いことは明らかである。図示しないが、このような例では、前記基板１の裏面から突出し頭部が拡大している係止部材と前記取付け板６に設けられた止め穴とで係止手段を構成し、係止部材の頭部を弾発的に止め穴に無理嵌めしてそこに保持することにより構成される。
いずれにしても、これ等の係止手段により台紙への取り付け作業が著しく簡略化され且つ容易になる。
【００１１】
以上の構成の本発明の綴具はルーズリーフのホルダである厚紙、プラスチック板、等の台板（図１にはこれをＰで示した）に取り付けられる。台板Ｐの縁部近くに係止部材１３の外形よりも少し大きい穴をあけ、基板１の裏面を台板Ｐの表面側に当て、薄肉ヒンジ５を軸として取付け板６を台板Ｐの縁を巡って裏面側に回して添えつけ、台板Ｐの穴を通して係止部材１３の先端を基板１の止め穴１６に強く押し込む。これにより、係止部材１３の先端のテーパ面１５が止め穴１６のふちを滑って止め穴１６に無理嵌めされる。
また台板Ｐの任意の所へ取り付けたい場合には、図１０に示したように、台板Ｐに取付板６の係止部材１３の先端を通しうる大きさの貫通孔Ｈ１と取付け板６を通しうる大きさの貫通孔Ｈ２を設け、本発明の綴具の取付け板６を貫通孔Ｈ２に通し、次いで矢印のように回転させ、係止部材１３を貫通孔Ｈ１を通して基板１の止め穴１６に無理嵌めする。
【００１２】
このように、本発明の綴具は、一体成型により成形できるので生産性が良く、取付けにはリベットが必要でなく、単に係止部材１３と止め穴１６を表紙を挟んで無理嵌めさせるだけで取付けが完了する利点が得られる。これにより係止手段の係止作業が容易になる。
他の利点としては、固定綴じ棒４を中空体で構成し、それに対応して可動綴じリング３の先端を固定綴じ棒４の内部深くに侵入するように可動綴じリングの先端を長大に設計できるので、何かの衝撃で可動綴じリングの膨出部１２が固定綴じ棒４の窪み８から外れた状態でもかなりの程度にルーズリーフの孔には可動綴じリング、その先細先端部、固定綴じ棒の何れかが挿通した状態に維持され、ばらけるおそれはない。
また可動綴じリングの先端部を完全に外した場合でも可動リングの先細部分にも保持能力があるので、例えば、ルーズリーフを特定のページ部分に挿入したり差し替えしたりする場合に、可動綴じリングにも多数のルーズリーフを安定に保持でき、ばらける恐れが減じる利点が得られる。
【符号の説明】
【００１３】
１  基板
２  薄肉ヒンジ
３  可動綴じリング
４  固定綴じ棒
５  薄肉ヒンジ
６  取付け板
７  中空部
８  窪み
９  頂面
１０  先端部
１１  停止段部
１２  膨出部
１３  係止部材
１４  突起
１５  テーパ面
１６  止め穴
１７  斜面
【図１】
2014000708.tif 000003
【図２】
2014000708.tif 000004
【図３】
2014000708.tif 000005
【図４】
2014000708.tif 000006
【図５】
2014000708.tif 000007
【図６】
2014000708.tif 000008
【図７】
2014000708.tif 000009
【図８】
2014000708.tif 000010
【図９】
2014000708.tif 000011
【図１０】
2014000708.tif 000012